【手続補正書】
【提出日】平成19年5月8日(2007.5.8)
【手続補正１】
【補正対象書類名】明細書
【補正対象項目名】特許請求の範囲
【補正方法】変更
【補正の内容】
【特許請求の範囲】
【請求項１】  ガラス板を加熱してこれを成形するように作動されるガラス板成形装置に取り付けるためのフレームと、
該フレームに取り付けられ、成形のための加熱ガラス板を受けるための上方に向いた輪郭形状を有する囲周型リングと、を含み、
前記型リングは前記フレームに関し固定された固定部分を含み、且つ又、加熱ガラス板を成形するために、フレーム及び固定部分に関して、下方位置から上方位置まで移動できる少なくとも１つの可動部分を含み、
更に、型リングの可動部分を型リングの固定部分に関してピボット軸線を中心に下方位置と上方位置との間でピボット運動可能に支持するピボット連結体と、
型リングの固定部分に関して型リングの可動部分のピボット運動を水平方向に調節するために、ピボット連結体を調節するアジャスタと、
を含む、ガラス板用関節成形型。
【請求項２】  アジャスタが型リングの固定部分に関して型リングの可動部分を水平方向に調節するための調節可能な連結体を含む、請求項１に記載のガラス板用関節成形型。
【請求項３】  ピボット連結体が型リングの固定部分及び可動部分に夫々取り付けられた1対のヒンジ部材を有するヒンジを含み、該ヒンジが１対のヒンジ部材をピボット連結するヒンジピンを含み、調節可能な連結体が、垂直方向調節のために型リングの固定部分とヒンジ部材の一方とを連結するシム連結体を含む、請求項２に記載のガラス板用関節成形型。
【請求項４】  アジャスタがピボット軸線に関して型リングの可動部分の位置を水平に調節するための調節可能な連結体を含む、請求項１に記載のガラス板用関節成形型。
【請求項５】  ピボット連結体が、型リングの固定部分及び可動部分に夫々取り付けられた１対のヒンジ部材を有するヒンジを含み、該ヒンジは１対のヒンジ部材をピボット連結するヒンジピンを含み、調節可能な連結体が、水平方向調節のためにヒンジ部材の１つと型リングの可動部分とを連結するシム連結体を含む、請求項４に記載のガラス板用関節成形型。
【請求項６】  ピボット連結体が型リングの固定部分及び可動部分に夫々取り付けられた1対のヒンジ部材を有するヒンジを含み、ヒンジは１対のヒンジ部材をピボット連結するヒンジピンを含み、調節可能な連結体が、水平方向調節のためにヒンジ部材の１つと型リングの可動部分を連結するネジ連結体を具備する、請求項４に記載のガラス板用関節成形型。
【請求項７】  ピボット連結体が型リングの固定部分及び可動部分に夫々取り付けられた１対のヒンジ部材を有するヒンジを含み、該ヒンジは１対のヒンジ部材をピボット連結するヒンジピンを含み、アジャスタは、垂直方向調節のためにヒンジ部材の１つと型リングの可動部分とを連結するシム連結体を含み、アジャスタはまた、水平方向調節のためにヒンジ部材の１つと型リングの可動部分とを連結するネジ連結体を含む、請求項４に記載のガラス板用関節成形型。
【請求項８】  アジャスタが型リングの固定部分に対してピボット軸線の位置を垂直方向に調節する第１の調節可能な連結体と、ピボット軸に対して型リングの可動部分の位置を垂直方向に調節する第２の調節可能な連結体と、を含む、請求項１に記載のガラス板用関節成形型。
【請求項９】  ピボット連結体が型リングの固定部分及び可動部分に夫々取り付けられた１対のヒンジピンを有するヒンジを含み、ヒンジは、1対のヒンジ部材をピボット連結するヒンジピンを含み、第１の調節可能な連結体が、垂直方向調節のためにヒンジ部材の１つと型リングの固定部分を連結するシム連結体を具備し、第２の調節可能な連結体が、垂直方向調節のために他方のヒンジ部材と型リングの可動部分を連結するシム連結体を含み、第２の調節可能な連結体はまた、水平方向調節のために他方のヒンジ部材と成形型の可動部分を連結するネジ連結体を含む、請求項８に記載のガラス板用関節成形型。
【請求項１０】  型リングが細長い形状を有し、且つ、加熱ガラス板を成形するため、フレーム及び固定リング部分に対し、下方位置と上方位置との間で移動できる１対の可動端部分と、型リングの１対の可動端部分を、関連したピボット軸線を中心に下方位置と上方位置との間をピボット運動可能に夫々ピボット的に支持する１対のピボット連結体とを含み、各ピボット連結体は、型リングの固定部分に対して型リングの関連した可動端部分のピボット運動を水平方向に調節するためにピボット連結体の調節を行うアジャスタを含む、請求項１に記載のガラス板用関節成形型。
【請求項１１】  ピボット連結体がピボット軸線に沿って互いに軸線方向に間隔を隔てた１対のヒンジを含み、各ヒンジが型リングの固定部分に対し型リングの可動部分のピボット運動を水平方向に調節するためにピボット連結を調節するアジャスタを含む、請求項１に記載のガラス板用関節成形型。
【請求項１２】  ピボット連結体がピボット軸線に沿って互いに軸線方向に間隔を隔てた１対のヒンジを含み、各ヒンジが型リングの固定部分に対し型リングの可動部分のピボット運動を調節するためピボット連結を調節するアジャスタを含み、各ヒンジのアジャスタが型リングの固定部分に対しピボット軸線の位置を垂直方向に調節するための第１の調節可能な連結体を含み、各ヒンジのアジャスタがピボット軸線に対し型リングの可動部分の位置を水平方向に調節するための第２の調節可能な連結体を含む、請求項１に記載のガラス板用関節成形型。
【請求項１３】  型リングが細長い形状を有し、且つ加熱ガラス板を成形するためフレームと固定リング部分とに対し、下方位置と上方位置との間で移動できる１対の可動端部分と、関連したピボット軸線を中心に下方位置と上方位置との間でピボット運動可能に型リングの１対の可動端部分を夫々ピボット的に支持する１対のピボット連結体と、を含み、各ピボット連結体は関連したピボット軸線に沿って互いに軸線方向に間隔を隔てた１対のヒンジを含み、各ヒンジが型リングの関連した固定部分に対し型リングの関連した可動部分のピボット運動を調節するためにヒンジの水平方向調節を行うアジャスタを含む、請求項１に記載のガラス板用関節成形型。
【請求項１４】  型リングが細長い形状を有し、且つ加熱ガラス板を成形するために、フレーム及び固定リング部分に対し、下方位置と上方位置との間で移動できる１対の可動端部分と、関連したピボット軸線を中心に下方位置と上方位置との間でピボット運動可能に型リングの１対の可動端部分を夫々ピボット的に支持する１対のピボット連結体と、を含み、各ピボット連結体は関連したピボット軸線に沿って互いに軸線方向に間隔を隔てた１対のヒンジを含み、各ヒンジが型リングの固定部分に対し型リングの関連した可動部分のピボット運動を調節するためにヒンジの調節を行うアジャスタを含み、各ヒンジのアジャスタが型リングの固定部分に対して関連したピボット軸線の位置を垂直方向に調節するための第１の調節可能な連結体を含み、各ヒンジのアジャスタが関連したピボット軸線に対して型リングの可動部分の位置を水平方向に調節するための第２の調節可能な連結体を含む、請求項１に記載のガラス板用関節成形型。
【請求項１５】  型リングが細長い形状を有し、且つ加熱ガラス板を成形するためにフレーム及び固定リング部分に対し、下方位置と上方位置との間で移動できる１対の可動端部分と、関連したピボット軸線を中心に下方位置と上方位置との間でピボット運動可能に型リングの１対の可動端部分を夫々ピボット的に支持する１対のピボット連結体と、を含み、各ピボット連結体は関連したピボット軸線に沿って互いに軸線方向に間隔を隔てた１対のヒンジを含み、各ヒンジが型リングの固定部分に対し型リングの関連した可動部分のピボット運動を調節するためにヒンジの調節を行うアジャスタを含み、各ヒンジのアジャスタが型リングの固定部分に対して関連したピボット軸線の位置を垂直方向に調節するための第１の調節可能なシム連結体を含み、各ヒンジのアジャスタが関連したピボット軸線に対して型リングの可動部分の位置を調節するための第２の調節可能な連結体を含み、第２の調節可能な連結体が、垂直方向調節のためにヒンジと成形型の可動部分とを連結するシム連結体を含み、該第２の調節可能な連結体が、水平方向調節のためにヒンジと型リングの可動部分とを協働して調節可能に連結するネジ連結体を含む、請求項１に記載のガラス板用関節成形型。
【手続補正２】
【補正対象書類名】明細書
【補正対象項目名】０００３
【補正方法】変更
【補正の内容】
【０００３】
【発明が解決しようとする課題及び課題を解決するための手段】
本発明の目的はガラス板を成形するための改良された関節成形型を提供することにある。
この目的を遂行するに当って、本発明のガラス板用関節成形型は、ガラス板を加熱してこれを成形する様に作動するガラス板成形装置に取り付けるためのフレームを有する。このフレームに成形型の囲周型リングが取り付けられ、型リングは成形のための加熱ガラス板を受けるための上方に向いた輪郭形状を有する。型リングはフレームに関して固定されている固定部分と、加熱ガラス板を成形するために、固定部分及びフレームに対し下方位置から上方位置まで移動できる少なくとも１つの可動部分を含む。ピボット連結体は、型リングの可動部分を、型リングの固定部分に対しピボット軸線を中心に下方位置と上方位置との間でピボット運動可能にピボット的に支持する。アジャスタが型リングの固定部分に対して可動部分のピボット運動を水平方向に調節するために、ピボット連結体を調節する。
【手続補正３】
【補正対象書類名】明細書
【補正対象項目名】０００４
【補正方法】変更
【補正の内容】
【０００４】
関節成形型の１つの側面によれば、アジャスタが型リングの固定部分に関して型リングの可動部分を水平方向に調節するための調節可能な連結体を含む。より詳しくは、ピボット連結体が、型リングの固定部分と可動部分に夫々取り付けられた１対のヒンジ部材を有するヒンジと、一対のヒンジ部材をピボット的に連結するヒンジピンと、を含み、調節可能な連結体が、水平方向調節のためにヒンジ部材の一方と型リングの固定部分とを連結するシム連結体を含む。
【手続補正４】
【補正対象書類名】明細書
【補正対象項目名】０００５
【補正方法】変更
【補正の内容】
【０００５】
他の側面によれば、アジャスタはピボット軸線に対し型リングの可動部分の位置を水平方向に調節するための調節可能な連結体を含む。より詳しくは、前記したピボット連結体は、型リングの固定部分と可動部分に夫々取付けられた１対のヒンジ部材を有するヒンジと、ヒンジ部材をピボット的に連結するヒンジピンと、を含み、調節可能な連結体が、垂直方向調節のためにヒンジ部材の一方と型リングの可動部分とを連結するシム連結体を含む。更にこの調節可能な連結体はまた、水平方向調節のためにヒンジ部材の一方と型リングの可動部分とを連結するネジ連結体を含む。かくして調節可能な連結体は、垂直方向及び水平方向調節のために型リングの可動部分とヒンジとを連結するシム連結体とネジ連結体の両方を含む。
【手続補正５】
【補正対象書類名】明細書
【補正対象項目名】０００６
【補正方法】変更
【補正の内容】
【０００６】
好ましい構造においては、関節成形型のアジャスタは、型リングの固定部分に関してピボット軸線の位置を垂直方向に調節するための第１の調節可能な連結体と、ピボット軸線に対し型リングの可動部分の位置を水平方向に調節するための第２の調節可能な連結体と、を含む。第１の調節可能な連結体は、垂直方向調節のためにヒンジ部材の一方と型リングの固定部分とを連結するシム連結体を含み、第２の調節可能な連結体は、垂直方向調節と水平方向調節の両方のために他方のヒンジ部材と型リングの可動部分とを協働して連結するシム連結体及びネジ連結体を含む。
【手続補正６】
【補正対象書類名】明細書
【補正対象項目名】０００７
【補正方法】変更
【補正の内容】
【０００７】
ガラス板用関節成形型の開示した構造においては、型リングは細長い形状を有し、且つ加熱ガラス板を成形するためフレームとリング固定部分に関し下方位置と上方位置との間で移動できる１対の可動端部分と、型リングの一対の可動端部分を、関連したピボット軸線を中心に下方位置と上方位置との間でピボット運動可能に夫々ピボット的に支持する１対のピボット連結体と、を含み、各ピボット連結体が型リングの固定部分に関して型リングの関連した可動端部分のピボット運動を水平方向に調節するためにピボット連結体の調節を行うアジャスタを含む。
【手続補正７】
【補正対象書類名】明細書
【補正対象項目名】０００８
【補正方法】変更
【補正の内容】
【０００８】
ガラス板用関節成形型の開示した構造は、ピボット軸線に沿って互いに軸線方向に間隔を隔てた１対のヒンジを含むように構成されたピボット連結体を有し、各ヒンジは型リングの固定部分に関して型リングの可動部分のピボット運動を水平方向に調節するために、ピボット連結体を調節するためのアジャスタを含む。各ヒンジのアジャスタは型リングの固定部分に関してピボット軸線の位置を垂直方向に調節するための第１の調節可能な連結体を含み、各ヒンジのアジャスタはまた、ピボット軸線に関して型リングの可動部分の位置を水平方向に調節するための第２の調節可能な連結体も含む。
【手続補正８】
【補正対象書類名】明細書
【補正対象項目名】０００９
【補正方法】変更
【補正の内容】
【０００９】
開示したガラス板用関節成形型の細長い構造では、１対の可動端部分の各々が上記のヒンジ構造を有するピボット連結体を含み、各ピボット連結体の各ヒンジのアジャスタは型リングの固定部分に関して関連したピボット軸線の位置を垂直方向に調節するための第１の調節可能な連結体を含み、各ヒンジのアジャスタは関連したピボット軸線に関して型リングの可動部分の位置を水平方向に調節するための第２の調節可能な連結体を含む。第１の調節可能な連結体は型リングの固定部分に対し関連したピボット軸線の位置を垂直方向に調節するためのシム連結体として開示され、第２の調節可能な連結体は、垂直方向調節と水平方向調節の両方のために型リングの可動部分とヒンジとを協働して調節可能に連結するシム連結体及びネジ連結体を含むものとして開示されている。
【手続補正９】
【補正対象書類名】明細書
【補正対象項目名】００１４
【補正方法】変更
【補正の内容】
【００１４】
図２及び３に最も良く示すように、図示した型リング３４は細長い形状を有し、そして加熱ガラス板を成形するため、図３の仮想線の下方位置と実線の上方位置位置との間で、型リングのフレーム３２及び固定部分３８に対して移動できる１対の可動端部分４２を含む。さらに、型リングの可動端部分４２を、型リングの間隔を隔てた部分４６で型リングを夫々貫通する関連したピボット軸線Ａを中心に下方位置と上方位置との間でピボット運動可能に夫々ピボット的に支持する１対のピボット連結体４４があり、各ピボット連結体のアジャスタ４８は、ピボット連結を調節するように作動し、最も効果的な成形を行うために、後述する様に、型リングの関連した可動部分４２の型リングの固定部分３８に対するピボット運動を水平方向に調節する。
【手続補正１０】
【補正対象書類名】明細書
【補正対象項目名】００１７
【補正方法】変更
【補正の内容】
【００１７】
図４及び図５を参照すると、各ヒンジ５０は、型リングの固定部分３８に固定されたブラケット５６と型リングの可動端部分４２に固定されたブラケット5８とによって型リング３４に支持されている。より詳しくは、各ヒンジ５０は、ブラケット５６，５８に夫々取り付けられたヒンジ部材６０，６２を含み、ヒンジピン６４がこのヒンジ部材６０、６２をピボット連結してピボット軸線Ａを中心にピボット運動させる。キー６６がヒンジピン６４を所定位置に取り付ける。型リング３４の固定部分３８によって取り付けられたブラケット５６に一方のヒンジ部材６０を取り付けることは、実際にはシム７０と、該シムをクランプするボルト７１と、を含むシム連結体６８である調節可能な連結体によってなされる。かくして、このシム連結体６８は、型リングの固定部分３８に対するピボット軸線Ａの位置の垂直方向の調節を行う。
【手続補正１１】
【補正対象書類名】明細書
【補正対象項目名】００１８
【補正方法】変更
【補正の内容】
【００１８】
図４，５を続けて参照すると、各ヒンジ５０のヒンジ部材６２は、型リングの可動端部分４２によって支持されたブラケット５８に、シム７４を有するシム連結体７２を含む第２の調節可能な連結体によって取り付けられる。１対のボルト７６が、ヒンジ部材６２を、ピボット軸線Ａに関する可動端部分４２の垂直方向の調節を行うシム連結体７２のシム７４を間に挟んでブラケット５８に固定する。又、アジャスタ４８は、型リングの可動端部分４２をピボット軸線Ａ及び型リング部分３８に関して水平方向に調節する第２の調節可能な連結体を含む。この第２の調節可能な連結体はブラケット５８とヒンジ部材６２との間に延びるネジ連結体７８を含む。より詳しくは、このネジ連結体７８はボルト８０を含み、その頭８２とボルトのネジ付きシャンク８４の隣接した部分８４は、キー９０によって軸方向に固定された環状スプール８８によってブラケット５８の延長部８６に対して軸方向に固定される。図４に示すように、ヒンジ部材６２は細長いスロット９２を有し、且つボルト８０のネジ付きシャンク８４を受け入れるネジ孔９３を有する。かくして、ボルト８０の回転により、最も効果的な成形を行うため、可動端部分８２の位置をピボット軸線Ａに近づけたり遠ざけたり調節でき、ヒンジ部材６２の細長いスロット９２はこのような調節を可能にし、この調節の完了後、ボルト７６を再び締めて、成形型の使用のため連結体を固定する。